(57)【要約】  本発明は、クラウン（５）及び頂部（４）を含む全体に半球形状の挿入体（１）を備えた寛骨臼プロテーゼに関する。この挿入体の外面（２）には、少なくとも一つのフィン（６）が設けられている。本発明は、フィン（６）が、挿入体（１）のクラウン（５）から始まって挿入体の頂部（４）に向かって延びる面（９）を有し、稜部（１０）を形成することを特徴とする。稜部（１０）は、詳細には、湾曲形状を備える。
2008518703.tif 000002
【特許請求の範囲】
【請求項１】
クラウン（５）及び頂部（４）を持つ全体に半球形状の挿入体（１）を含み、この挿入体（１）の外面（２）に少なくとも一つのフィン（６）が設けられた寛骨臼プロテーゼにおいて、
前記フィン（６）は、前記挿入体（１）の前記クラウン（５）から延び且つ前記挿入体（１）の前記頂部（４）に向かって延びる切り子面（９）を有し、実質的に湾曲形状の稜部（１０）を形成する、ことを特徴とするプロテーゼ。
【請求項２】
請求項１に記載のプロテーゼにおいて、
前記フィン（６）の前記切り子面（９）は、前記挿入体（１）の前記クラウン（５）のところで前記挿入体（１）の前記外面（２）と隣接して延びる、プロテーゼ。
【請求項３】
請求項１又は２に記載のプロテーゼにおいて、
前記フィン（６）は、前記切り子面（９）を画成する二つの縁部（１１、１２）を有し、これらの縁部（１１、１２）の両方の各々が、前記挿入体（１）の前記クラウン（５）から延びており、稜部（１０）のところで互いに合一する、プロテーゼ。
【請求項４】
請求項１、２、又は３に記載のプロテーゼにおいて、
前記切り子面（９）は、全体に三角形形状である、プロテーゼ。
【請求項５】
請求項１乃至４のうちのいずれか一項に記載のプロテーゼにおいて、
前記切り子面（９）は、前記挿入体（１）の軸線（Ｘ）を中心とした円筒形表面に沿って延びている、プロテーゼ。
【請求項６】
請求項１乃至５のうちのいずれか一項に記載のプロテーゼにおいて、
前記稜部（１０）は、前記挿入体（１）の前記頂部（４）に向かって湾曲した凸状形状を有する、プロテーゼ。
【請求項７】
請求項１乃至６のうちのいずれか一項に記載のプロテーゼにおいて、
前記稜部（１０）は、前記挿入体（１）の半径方向平面内を延びる、プロテーゼ。
【請求項８】
請求項１乃至７のうちのいずれか一項に記載のプロテーゼにおいて、
複数の同じフィン（６）を備えている、プロテーゼ。
【請求項９】
請求項８に記載のプロテーゼにおいて、
少なくとも１２個のフィン（６）を備えている、プロテーゼ。
【請求項１０】
請求項８又は９に記載のプロテーゼにおいて、
前記フィン（６）は、前記挿入体（１）の前記クラウン（５）の周囲に均等に分配されている、プロテーゼ。
【請求項１１】
請求項１乃至１０のうちのいずれか一項に記載のプロテーゼにおいて、
前記挿入体（１）の前記クラウン（５）は、全体に丸みを付けた形状を有する、プロテーゼ。
【請求項１２】
請求項１乃至１１のうちのいずれか一項に記載のプロテーゼにおいて、
チタニウムで形成されている、プロテーゼ。
【請求項１３】
請求項１乃至１２のうちのいずれか一項に記載のプロテーゼにおいて、
大腿骨頭を受け入れるようになった凹状の内面（３）を有し、この内面（３）は、ダイヤモンド様炭素（ＤＣＬ）コーティングの層で覆われている、プロテーゼ。
【請求項１４】
請求項１乃至１３のうちのいずれか一項に記載のプロテーゼにおいて、
骨と接触するようになった凸状の外面（２）を有し、この外面は、ヒドロキシアパタイトコーティングの層で覆われている、プロテーゼ。
【請求項１５】
請求項１乃至１４のうちのいずれか一項に記載のプロテーゼにおいて、
骨と接触するようになった凸状の外面（２）を有し、この外面は、２μｍ乃至４μｍ、好ましくは３μｍ程度の粗さを有する、プロテーゼ。
【請求項１６】
請求項１乃至１５のうちのいずれか一項に記載のプロテーゼにおいて、
単一の部品として形成される、プロテーゼ。
【発明の詳細な説明】
【技術分野】
【０００１】
本発明は、セメントなしで固定される寛骨臼プロテーゼの分野に関する。
【背景技術】
【０００２】
股関節形成術は、股関節を「全股関節プロテーゼ」と呼ばれる人工関節と交換する手順を含む外科手術である。全股関節プロテーゼは、一方では、大腿骨に固定されるようになった、大腿骨頭を備えたステムを持つ大腿骨プロテーゼを含み、他方では、骨盤骨の寛骨臼に固定される寛骨臼プロテーゼを含む。寛骨臼プロテーゼは、大腿骨プロテーゼの大腿骨頭を受け入れるためのキャビティを有する。
【０００３】
現在、寛骨臼プロテーゼを固定するための幾つかの方法が存在する。
【０００４】
特定の技術によれば、寛骨臼プロテーゼをセメントによって骨に固定する。このセメントは、一般的には、メリメチルメタクリレート（ＰＭＭＡ）を基材としたセメントである。この技術は、長期に亘って良好な結果をもたらす。しかしながら、プロテーゼが、長期に亘り、感染や腐敗によるのでなしに緩んでしまうことが日常的に報告されている。
【０００５】
他の技術によれば、寛骨臼プロテーゼを、セメントを全く用いずに機械的手段によって骨に固定する。寛骨臼プロテーゼをセメントを全く用いずに固定することにより、骨一体化、即ち骨組織へのプロテーゼの一体化を促すため、埋め込み後の最初の１カ月でプロテーゼの機械的有効強度を得ることができなければならない。使用されているセメントなしプロテーゼは、一般的には、金属製のカップでできており、ポリエチレン（ＰＥ）製の挿入体が金属製カップ内に配置される。金属製カップは、様々な固定手段によって骨に固定される。これらの固定手段には、特に、ねじ、パッド、フィン、又はピンが含まれる。更に、寛骨臼プロテーゼは、寛骨臼プロテーゼがぴったりと保持されるように強制的に挿入すること（プレス嵌め）によって寛骨臼に固定される。
【０００６】
フランス国特許第２  ６４１  ６４１号（１９９０年７月１３日に公開された）には、セメントを全く用いずに使用できる、半球形キャップを含む寛骨臼プロテーゼが記載されている。半球形キャップの周囲には、一連のフィンがキャップの凸状の表面に亘って均等に位置決めされており、凸状の表面との係合によってカバー構成要素が適用されるようになっている。フィンは、楔形状を備えており、その頂部は、キャップの頂部に向かっている。
【０００７】
この文献には、フィンを骨ハウジングと強制的に係合することによって、フィンの楔形状で直接決まる骨の圧縮効果と関連した、挿入による係合をなすようにフィンが設計されていると記載されている。
【０００８】
これによって位置決めされたフィンは、寛骨臼領域の縁部に大きな作用を及ぼし、即ち骨が大きく圧縮され、従って、これにより、及ぼされた力に耐えることができる。
【発明の開示】
【発明が解決しようとする課題】
【０００９】
本発明が解決しようとする課題は、寛骨臼での機械的強度が優れていると同時に、プロテーゼと接触した骨が劣化しないようにする、セメントを全く用いずに寛骨臼に固定される寛骨臼プロテーゼを提供することである。
【課題を解決するための手段】
【００１０】
この問題点は、本発明の範囲内で、クラウン及び頂部を持つ全体に半球形状の挿入体を含み、この挿入体の外面に少なくとも一つのフィンが設けられた寛骨臼プロテーゼにおいて、フィンは、挿入体のクラウンから延び且つ挿入体の頂部に向かって延びる切り子面を有し、実質的に湾曲形状の稜部を形成する、ことを特徴とするプロテーゼによって解決される。
【００１１】
フィンの切り子面は、骨組織を損傷することなく、皮質骨で支持されるようになっている。切り子面により、挿入体によって及ぼされる応力を皮質骨に亘って分配できる。
【００１２】
フィンの稜部が湾曲形状を備えているため、プロテーゼは、骨組織を全く損傷することなく、海綿質骨に固定できる。
【００１３】
フィンは、十分な骨一体化が得られるまで、骨内のプロテーゼの機械的強度を提供する。詳細には、フィンは、大腿骨頭の移動中に挿入体を所定位置に保持する。
【００１４】
プロテーゼは、以下の特徴を備えていてもよい。
−フィンの切り子面は、挿入体のクラウンのところで挿入体の外面と隣接して延び、
−フィンは、切り子面を画成する二つの縁部を有し、これらの縁部の両方の各々が、挿入体のクラウンから延びており、稜部のところで互いに合一し、
−切り子面は、全体に三角形形状であり、
−切り子面は、挿入体の軸線である軸線を中心とした円筒形表面に沿って延びており、
−稜部は、挿入体の軸線に向かって湾曲した凸状形状を有し、
−稜部は、挿入体の半径方向平面内を延びており、
−プロテーゼは、複数の同じフィンを備えており、
−プロテーゼは、少なくとも１２個のフィンを備えており、
−フィンは、挿入体のクラウンの周囲に均等に分配されており、
−挿入体のクラウンは、全体に丸みを付けた形状を有し、
−プロテーゼは、チタニウムで形成されており、
−プロテーゼは、大腿骨頭を受け入れるようになった凹状の内面を有し、この内面は、ダイヤモンド様炭素（ＤＣＬ）コーティングの層で覆われており、
−プロテーゼは、骨と接触するようになった凸状の外面を有し、この外面は、ヒドロキシアパタイトコーティングで覆ってあり、
−プロテーゼは、骨と接触するようになった凸状の外面を有し、この外面は、２μｍ乃至４μｍ、好ましくは３μｍ程度の粗さを有し、
−プロテーゼは、単一の部品として形成される。
【００１５】
この他の特徴及び利点は、単なる例示であって非限定的な以下の説明から更に明らかになるであろう。以下の説明は、本発明の可能な実施形態による寛骨臼プロテーゼを例示する添付図面を参照して読まれるべきである。
【発明を実施するための最良の形態】
【００１６】
添付図面に示す寛骨臼プロテーゼは、全体に半球形状の挿入体を含む。この挿入体１は、骨盤の寛骨臼の骨と接触するようになった凸状の外面２と、大腿骨頭を受け入れるようになった凹状の内面３とを有する。
【００１７】
挿入体１は、頂部４及びクラウン５を有する。「頂部」は、挿入体１の回転軸線Ｘと、この挿入体１の外面２との交点を示す。「クラウン」は、外面２と内面３との間を延びる、挿入体１の縁部を示す。
【００１８】
挿入体１の外面２には、複数の同じフィン６が設けられており、これらのフィンは、クラウン５の周囲に均等に分配されている。
【００１９】
各フィン６は、挿入体１の半径方向平面、即ち挿入体１の軸線（Ｘで示す）を通る平面に対して対称である。各フィンは２つの側部７及び８を有する。各フィンは、更に、側部７と８との間を延びる、切り子面９及び稜部１０を有する。側部７及び８は、切り子面９の両側を延びており、稜部１０のところで互いに合一する。側部７及び８は、切り子面９との接合部に縁部１１及び１２を形成する。
【００２０】
各切り子面９は、全体に三角形形状であり、その頂部が挿入体１の頂部４に向かって差し向けられている。各切り子面９は、所定の軸線、即ち挿入体１の軸線Ｘを持つ円筒形表面に沿って延びている。切り子面９は、挿入体１のクラウン５から、挿入体１の頂部４に向かって延び、稜部１０を形成する。両縁部１１及び１２が切り子面９を画成し、これによって、これらの縁部の各々は、クラウン５から延び、稜部１０のところで互いに合一する。
【００２１】
各稜部８は、挿入体１の半径方向平面内を延びる。各稜部８は、挿入体１の頂部４に向かって実質的に凸状形状をなして湾曲している。
【００２２】
切り子面９は、寛骨臼の皮質骨、即ちクラウン５と接触した、骨の最も硬い部分に当たった状態で支持されるようになっている。クラウン５の周囲での切り子面９の形状及び位置により、挿入体１を寛骨臼内にぴったりと保持する場合、応力をクラウン５の周囲に適当に分配できる。
【００２３】
稜部１０は、プロテーゼを寛骨臼の海綿質骨（柱骨）、即ち挿入体１の凸状の外面と接触する骨の最も壊れやすい部分に固定するようになっている。稜部１０の湾曲形状により、骨を損傷することのある非常に鋭利な構成要素（例えば楔等）を全く必要とせずに挿入体１を固定できる。
【００２４】
フィン６の独特の形状により、挿入体１の支持部分（切り子面９によって形成される）と固定部分（稜部１０によって形成される）との間で徐々に移行できる。
【００２５】
更に、クラウン５は全体に円形形状を有する。この特徴により、関節が脱臼する危険を制限できる。
【００２６】
挿入体１は、例えばチタニウムで単一の部品として形成される。
【００２７】
挿入体１の外面２は、３μｍ程度の粗さを持つように処理が施してあり、一層のヒドロキシアパタイトコーティングで覆ってある。これらの特徴には、挿入体１の外面での骨細胞の転移増殖を促進し、これによってプロテーゼの骨一体化を促すという目的がある。
【００２８】
更に、挿入体１の内面３は、ダイヤモンド様炭素（ＤＬＣ）の層で覆ってある。これは、ダイヤモンドに近い性質を提供する炭素ｓｐ３ハイブリッドを大量に含有する炭素の非晶質形態である。
【００２９】
ＤＬＣコーティングは、大腿骨頭と接触するようになった内面の耐磨耗性を向上する。更に、化学的に不活性であるため、ＤＬＣコーティングの生体親和性は非常に良好である。
【００３０】
非限定的例として、図１乃至図４に示すプロテーゼは、以下の表１の寸法を有する。
【表１】
2008518703.tif 000003
【図面の簡単な説明】
【００３１】
【図１】図１は、寛骨臼プロテーゼの概略側面図である。
【図２】図２は、寛骨臼プロテーゼの概略平面図である。
【図３】図３は、寛骨臼プロテーゼの断面図である。
【図４】図４は、寛骨臼プロテーゼのフィンの概略図である。
【図１】
2008518703.tif 000004
【図２】
2008518703.tif 000005
【図３】
2008518703.tif 000006
【図４】
2008518703.tif 000007
【国際調査報告】
2008518703.tif 000008
2008518703.tif 000009
2008518703.tif 000010
2008518703.tif 000011
2008518703.tif 000012
2008518703.tif 000013